(57)【要約】【課題】      比較的簡単な構造で照明器具の角度を正確に変えることができ、照明したい領域に照射光を効率的に照射することができる角度可変型照明器具を提供することを課題とする。【解決手段】  照明器具本体１の取付部側の内端部に、一端に開放口を有し対称位置に垂直壁を有する角型形状の支持体１０を配置し、同支持体に対して角度調整自在に、支持腕狭持体２０を配置し、さらに同支持腕狭持体に支持腕４０を支持して構成してある。そして同支持腕に支持してなる照明器具を角度可変構造とする。  また支持体の両側壁の対称位置に多段状の切換溝１４を形成し、支持腕狭持体の外側に突出して多段状の切換溝に嵌着する掛合体３１を形成して構成してある。照明器具の角度可変は反射板を開いて作業を行う。【選択図】    図１
2008177163.tif 000002
【特許請求の範囲】
【請求項１】
照明器具本体の取付部側の内端部に、一端に開放口を有し対称位置に垂直壁を有する角型形状の支持体を配置し、同支持体に対して角度調整自在に、支持腕狭持体を配置し、さらに同支持腕狭持体に支持腕を支持し、同支持腕に支持してなる照明器具を角度可変構造としたことを特徴とする角度可変型照明器具。
【請求項２】
支持体の両側壁の対称位置に多段状の切換溝を形成し、また支持腕狭持体の外側に突出して多段状の切換溝に嵌着する掛合体を形成したことを特徴とする請求項１記載の角度可変型照明器具。
【請求項３】
照明器具本体の内部に支持してなる反射板は、支持体を開放するように構成したことを特徴とする請求項１及び請求項２記載の角度可変型照明器具。
【請求項４】
照明器具本体の内壁の一部に、ソケットを支持してなる回動腕を回動自在に支持して、ソケットを水平方向に対して回動自在に形成し、ソケットを照明器具本体の縦軸から外すことにより、照明器具の角度可変作業を行うように構成したことを特徴とする請求項１乃至請求項３記載の角度可変型照明器具。
【請求項５】
前記した照明器具本体に支持してなる反射板の外面壁に位置するようにソケットを固定し、反射板の開閉に伴ってソケットも移動するように構成したことを特徴とする請求項１乃至請求項３記載の角度可変型照明器具。
【請求項６】
前記した照明器具本体の側壁の片側内側壁の適数箇所に、反射板掛合片を支持し、同反射板掛合片に、反射板を開閉自在に支持し、また同反射板掛合片との対応側の照明器具本体の側壁の片側内側壁に弾性掛合片を配置し、反射板を照明器具本体に対して係脱自在に構成したことを特徴とする請求項５記載の角度可変型照明器具。
【請求項７】
照明器具本体の上面に、把手を形成し、同把手を持って照明器具の角度を可変するように構成したことを特徴とする請求項１乃至請求項６記載の角度可変型照明器具。
【発明の詳細な説明】
【技術分野】
【０００１】
本発明は歩道や車道や屋外駐車場等を照明する角度可変型照明器具の改良に関する。
【背景技術】
【０００２】
従来、歩道や車道を照明する照明器具は、配光は一定であるものが一般的である。しかし、用途に応じて配光を可変する構造も提案されている。
配光を可変する構造の照明器具として、例えば光源の照射光が照射される箇所に配置された反射板の角度を可変する構造のものが提案されている（特許文献１）。
【０００３】
【特許文献１】特開平５−２４２７０６号公報
【発明の開示】
【発明が解決しようとする課題】
【０００４】
しかし、反射板の角度を可変し配光を可変する上記構造によると、反射板の角度を可変するのにモータやプーリを設けるので構造が複雑となる。また照明器具に装着した光源からの照射光が可変自在に構成した反射板に一度投射された後、被照射面に投射されるので、照明領域に照射光を効率的に照射するのが難しくなる欠点がある。
また近年は、照明したい領域以外の周辺に光が漏洩して光害を与えることが問題となっている。
【０００５】
本発明は上記の課題に鑑みて発明したもので、比較的簡単な構造で照明器具の角度を正確に変えることができ、照明したい領域に照射光を効率的に照射することができる角度可変型照明器具を提供することを目的とする。
【課題を解決するための手段】
【０００６】
上記の課題を解決するために、本発明に係る請求項１は、照明器具本体の取付部側の内端部に、一端に開放口を有し対称位置に垂直壁を有する角型形状の支持体を配置し、同支持体に対して角度調整自在に、支持腕狭持体を配置し、さらに同支持腕狭持体に支持腕を支持して構成してある。そして同支持腕に支持してなる照明器具を角度可変構造としてある。
同構造の角度可変型照明器具によると、照明器具の仰角を正確に可変することができるので、照明したい領域に照射光を効率的に照射することができる。
【０００７】
請求項２は、請求項１における支持体の両側壁の対称位置に多段状の切換溝を形成し、また支持腕狭持体の外側に突出して多段状の切換溝に嵌着する掛合体を形成して構成してある。
同構造の角度可変型照明器具によると、切換溝の所望の箇所に掛合体を掛合することにより、照明器具の角度を正確に可変することができる。
【０００８】
請求項３は、請求項１及び請求項２における照明器具本体の内部に支持してなる反射板は、支持体を開放するように構成してある。
同構造の角度可変型照明器具によると、支持腕狭持体側で反射板を開放するので、反射板が邪魔にならず、照明器具の角度可変作業を容易に行うことができる。
【０００９】
請求項４は、請求項１乃至請求項３における照明器具本体の内壁の一部に、ソケットを支持してなる回動腕を回動自在に支持して、ソケットを水平方向に対して回動自在に形成し、ソケットを照明器具本体の縦軸から外すことにより、照明器具の角度可変作業を行うように構成してある。
同構造の角度可変型照明器具によると、ソケットを照明器具本体の縦軸から外すことができるので、ソケットが邪魔にならず、照明器具の角度可変作業を容易に行うことができる。
【００１０】
請求項５は、請求項１乃至請求項３記載の照明器具本体に支持してなる反射板の外面壁に位置するようにソケットを固定し、反射板の開閉に伴ってソケットも移動するように構成してある。
同構造の角度可変型照明器具によると、反射板の開閉に伴ってソケットも移動するので、反射板とソケットが開き、照明器具の角度可変作業を容易に行うことができる。
【００１１】
請求項６は、前記した照明器具本体の側壁の片側内側壁の適数箇所に、反射板掛合片を支持し、同反射板掛合片に、反射板を開閉自在に支持し、また同反射板掛合片との対応側の照明器具本体の側壁の片側内側壁に弾性掛合片を配置し、反射板を照明器具本体に対して係脱自在に構成してある。
同構造の角度可変型照明器具によると、ソケットを固定してなる反射板を、照明器具本体に工具を用いることなく係脱自在に支持することができる。
【００１２】
請求項７は、請求項１乃至請求項６における照明器具本体の上面に、把手を形成し、同は把手を持って照明器具の角度を可変するように構成してある。
同構造の角度可変型照明器具によると、把手を持って照明器具を支えて照明器具の角度を可変するので、容易に作業を行うことができる。
【発明の効果】
【００１３】
上記した角度可変型照明器具によると、照明器具の角度を容易且つ正確に変えることができ、照明したい領域に照射光を効率的に照射することができる特別な効果がある。
【発明を実施するための最良の形態】
【００１４】
以下本発明を実施するための最良の形態を図１乃至図１６について説明する。
【実施例１】
【００１５】
以下本発明にかかる実施例１を図１乃至図９について説明する。図１及び図２において、１は照明器具本体であって、例えばアルミダイカストで比較的小型に構成してある。照明器具本体１の大きさは、長さ４１２ｍｍの３２ワットのコンパクト蛍光ランプ２を装着する場合、縦幅５１２ｍｍ、横幅２４０ｍｍに構成し、グローブを含む照明器具本体１の高さは１７８ｍｍに構成してある。３は照明器具本体１の外壁上面に形成した把手であって、グローブを持たずに同把手を持って照明器具の角度を可変するように構成してある。４は照明器具本体１の下半部の透光面に開閉自在に設けてなる透光性のグローブである。５は照明器具本体１内部の一端に固定してなる安定器である。
【００１６】
６は安定器５の下面に開閉自在に設けた反射板であって、例えば平板状に構成してある。また同反射板６は後述する支持体１０を開放するように構成してある。７は照明器具本体の取付部側とは反対の先端近傍に設けた反射板を開閉自在に支持するための軸受けである。反射板６の照明器具本体の取付部側は回動腕に締め付け固定してある。９はゴムパッキンであって、蛇腹状に構成し、防水性を有して構成してある。また同ゴムパッキン９は照明器具の角度可変に対応して変形するように構成してある。
【００１７】
図３及び図４において、１０は照明器具本体１の取付部側の内端部に設けてなる角型形状の支持体であって、一端に開放口１１を有し対称位置に垂直壁１２、１３を有して構成してある。１４は支持体１０の垂直壁１２、１３の対称位置に形成した多段状の切換溝であって、例えば４段の切換溝を設けて構成してある。同多段状の切換溝１４は、支持腕を上向き角度２０度で構成した場合に、同支持腕に対して、例えば、５度、１２．５度、２０度、２７．５度に可変できるように構成してある。１５は支持体１０の下面壁の中央部に形成した開放孔である。１６は支持体１０の垂直壁１２、１３の対称位置に形成した長孔である。
【００１８】
２０は支持体１０に対して角度調整自在に配置してなる支持腕狭持体であって、支持腕受体２１と支持腕押え体２２とで構成してある。同支持腕受体２１は両側壁２３と下面壁２４とで略Ｕ字状に構成してある。また同支持腕受体２１の下面壁２４には適数の螺合孔２５を有して構成し、両側壁２３には適数の螺合孔２６を有して構成してある。支持腕押え体２２の両側壁２７と上面壁２８とで略逆Ｕ字状に構成し、支持腕受体２１と支持腕押え体２２とで支持腕を狭持するように構成してある。２９は支持腕押え体２２の両側壁２７の対称位置に形成した適数の空孔である。３０は支持腕締付体であって、例えば複数本のボルトで構成してある。同支持腕締付体３０を締め付けることにより、支持腕は、支持腕締付体３０と支持腕押え体２２の間に狭持される。３１は支持腕狭持体２０の外側に突出して形成した掛合体であって、多段状の切換溝１４に嵌着する。同掛合体３１は例えばボルトで構成してある。
【００１９】
４０は支持腕狭持体２０の支持腕受体２１と支持腕押え体２２の間に狭持される支持腕である。４１はコンパクト蛍光ランプ２を装着するソケットである。同ソケット４１は図７に示すように、回動腕４２に支持し、支持体の壁面に、ビス８を軸として水平方向に対して回動するように構成してある。同ソケット４１を回動し、図８に示すように、ソケット４１を照明器具本体１の縦軸から外すことにより、照明器具の角度可変作業を容易に行うことができるように構成してある。４３は回転軸であって、支持体１０の長孔１６、支持腕押え体２２の空孔２９を通って、支持腕受体２１の螺合孔２６に螺合してある。
【００２０】
上記構造の角度可変型照明器具において、図１における５０はグローブ４を照明器具本体１に係合支持するためのラッチである。また図７及び図８において、５１は点滅器であって、受光部を照明器具本体１の外壁から突出して配置してある。また同図７及び図８において、５２は端子台であって、照明器具本体１の内壁に固定してなる取付金具に支持して構成してある。
【００２１】
次に上記した角度可変型照明器具における角度可変作業の順序について説明する。
（１）先ず、グローブ４を開き、コンパクト蛍光ランプ２を取り外した後、図６に示すように反射板６を開いた状態とする。反射板６はビス１７を外すことにより開くことができる。
（２）次に、回動腕４２を回動することにより、図８に示すようにソケット４１を照明器具本体１の縦軸から外し、図６及び図８に示すように支持体１０を露出させる。
（３）かかる後、図５に示すように、支持体１０の外側壁に表れている掛合体３１と、回転軸４３を若干緩め、さらに掛合体３１を所望の角度の切換溝１４に移動する。掛合体３１の移動に際しては、支持腕４０を有する支持腕狭持体を支持体１０の長孔１６に沿って若干移動することにより、掛合体３１が切換溝１４から外れ、切換溝１４に連通する縦溝に沿って容易に移動することができる。
（４）次に緩めた掛合体３１と回転軸４３を締め直し、その後回動腕４２を回動してソケット４１を元の位置に戻し、さらに反射板６を元の位置に戻して固定する。かかる後コンパクト蛍光ランプ２を装着し、グローブ４を閉じて、角度可変型照明器具における角度可変作業を終了する。同角度可変作業においては、照明器具本体１の外壁上面に形成した把手３を持って作業を行うことにより、作業を容易に行うことができる
【００２２】
上記した構造の角度可変型照明器具によると、照明器具の仰角を正確に可変することができるので、照明したい領域に照射光を効率的に照射することができる。また照明器具を支持腕に取付けた状態で、照明器具の角度を可変することができるので、照明器具を設置した周辺の環境変化に応じて、容易に照明器具の可変作業を行うことができる。
【実施例２】
【００２３】
次に本発明にかかる実施例２を図１０乃至図１６について説明する。実施例１と共通の構成要件については、同一の符号を用いて説明し、重複する構成要件については詳細な説明は省略する。図１０は照明器具側面の一部を切欠いた角度可変型照明器具の断面図であって、図１０からグローブを取外すと内部構造は図１１に示すように構成してある。図１０から図１６おいて、６０は照明器具本体１に開閉自在に支持してなる反射板であって、支持体１０を開放するように構成してある。また反射板の外面壁に位置してソケット４１を固定し、反射板の開閉に伴ってソケットも移動するように構成してある。同ソケット４１は、例えば板金で構成してなる反射板の一部に曲折する切起片６１を一体的に構成し、同切起片６１に固定してある。
【００２４】
７０、７１は照明器具本体１の側壁の片側内側壁の適数箇所に支持してなる反射板掛合片であって、先端に鉤状片７２、７３を一体構成し、図１２に示すように同鉤状片７２、７３を反射板６０の端部対応箇所に形成した空孔７４、７５に掛合支持するように構成してある。７６、７７は反射板掛合片との対応側の照明器具本体１の側壁の片側内側壁の適数箇所に形成してなる弾性掛合片であって、鉤状片７８、７９を有して構成してある。同鉤状片７８、７９に対応して、反射板６０の外周に切欠凹部８０、８１を有して構成し、掛合支持されるように構成してある。
【００２５】
９０は反射板掛合片７０、７１と、弾性掛合片７６、７７を照明器具本体１の側壁の片側内側壁に支持するための突出部であって、照明器具本体１に一体構成してある。
図１６はコンパクト蛍光ランプ２の中央付近から取付部側を見た断面図であり、図１６に示すように反射板６０が反射板掛合片７０、７１と、弾性掛合片７６、７７に掛合している状態で、反射板の裏面は突出部９０の先端により押圧され確実に支持される。また弾性掛合片７６、７７を解除すると、反射板６０は圧力が加えられているので反発して容易に開くことができる。
【００２６】
次に実施例２に示す角度可変型照明器具における角度可変作業の順序について説明する。
（１）先ず、グローブ４を開き、弾性掛合片７６、７７の鉤状片７８、７９を切欠凹部８０、８１から外し、反射板６０を開く。反射板６０を開くと図１２に示すように同時にソケット４１とコンパクト蛍光ランプ２も移動する。この状態で支持体１０は露出する。
（２）次に実施例１の段落番号〔００２１〕の（３）にて説明した作業と同様に、支持体１０の外側壁に表れている掛合体３１と、回転軸４３を若干緩め、さらに掛合体３１を所望の角度の切換溝１４に移動する。掛合体３１の移動に際しては、支持腕４０を有する支持腕狭持体を支持体１０の長孔１６に沿って若干移動することにより、掛合体３１が切換溝１４から外れ、切換溝１４に連通する縦溝に沿って容易に移動し、角度可変型照明器具の角度を可変する。
（３）かかる後、緩めた掛合体３１と回転軸４３を締め直し、反射板６０を閉じ、弾性掛合片７６、７７の鉤状片７８、７９を切欠凹部８０、８１に合わせて当接し、反射板６０を照明器具本体１に支持し、さらにグローブ４を閉じて、角度可変型照明器具の角度の可変作業を終了する。
ここで反射板６０は、突出部９０及び反射板掛合片７０、７１と弾性掛合片７６、７７により内外面に若干の圧力が加えられた状態となるので確実に支持される。また弾性掛合片７６、７７を解除すると、反射板６０は圧力が加えられているので反発して容易に開くことができる。
【００２７】
上記した構造の角度可変型照明器具によると、照明器具の仰角を容易且つ正確に可変することができるので、照明したい領域に照射光を効率的に照射することができる。また実施例１と同様に照明器具を支持腕に取付けた状態で、照明器具の角度を可変することができるので、照明器具を設置した周辺の環境変化に応じて、容易に照明器具の可変作業を行うことができる。
【図面の簡単な説明】
【００２８】
【図１】本発明に係る角度可変型照明器具の側面断面図。
【図２】本発明における角度可変型照明器具のグローブを取外したときの状態を示す斜視図。
【図３】本発明における角度可変型照明器具の支持体と支持腕狭持体の分解斜視図。
【図４】本発明における角度可変型照明器具の支持体と支持腕狭持体に支持腕を狭持したときの斜視図。
【図５】図４に示す支持体に対する支持腕の角度を可変したときの斜視図。
【図６】本発明における角度可変型照明器具の反射板を開いたときの斜視図。
【図７】本発明における角度可変型照明器具のソケットを支持したときの底面図。
【図８】図７に角度可変型照明器具のソケットを回動したときの底面図。
【図９】グローブと反射板を取外したときの本発明における角度可変型照明器具の斜視図。
【図１０】本発明に係る角度可変型照明器具の実施例２を示す側面断面図。
【図１１】本発明における角度可変型照明器具のグローブを取外したときの実施例２の斜視図。
【図１２】本発明における角度可変型照明器具の反射板を開いたときの実施例２の斜視図。
【図１３】実施例２の反射板とソケットの結合構造を示す斜視図。
【図１４】実施例２の照明器具本体の内部構造を示す斜視図。
【図１５】図１１の角度可変型照明器具の角度を可変したときの斜視図。
【図１６】実施例２の照明器具本体を正面からみたときの断面図。
【符号の説明】
【００２９】
１  照明器具本体
２  コンパクト蛍光ランプ
３  把手
４  透光性のグローブ
５  安定器
６  反射板
７  軸受け  
８  ビス
９  ゴムパッキン
１０  支持体
１２、１３  垂直壁
１４  切換溝
１５  開放孔
１６  長孔
１７  ビス
２０  支持腕狭持体
２１  支持腕受体
２２  支持持腕押え体
２３  両側壁
２４  下面壁
２５  螺合孔
２６  螺合孔
２７  両側壁
２８  上面壁
２９  空孔
３０  支持腕締付体
３１  掛合体
４０  支持腕
４１  ソケット
４２  回動腕
４３  回転軸
５０  ラッチ
５１  点滅器
５２  端子台
６０  反射板
６１  切起片
７０、７１  反射板掛合片
７２、７３  鉤状片
７４、７５  空孔
７６、７７  弾性掛合片
７８、７９  鉤状片
８０、８１  切欠凹部
９０  突出部
【図１】
2008177163.tif 000003
【図２】
2008177163.tif 000004
【図３】
2008177163.tif 000005
【図４】
2008177163.tif 000006
【図５】
2008177163.tif 000007
【図６】
2008177163.tif 000008
【図７】
2008177163.tif 000009
【図８】
2008177163.tif 000010
【図９】
2008177163.tif 000011
【図１０】
2008177163.tif 000012
【図１１】
2008177163.tif 000013
【図１２】
2008177163.tif 000014
【図１３】
2008177163.tif 000015
【図１４】
2008177163.tif 000016
【図１５】
2008177163.tif 000017
【図１６】
2008177163.tif 000018